(57)【要約】【課題】少ない操作数で目的の画面への展開を行うことができるプラント監視制御装置を提供する。【解決手段】画面処理部５は、表示装置２との間でデータのやり取りを行うと共に画面データの生成を行う画面管理部５１と、表示装置２に現在表示している画面データを格納する表示画面データ領域５２と、表示装置２に現在表示している画面に関連する関連画面データが格納されているバッファ領域５３を有し、画面管理部５１は画面展開操作が行われる場合、表示画面データ領域５２に格納されている画面データをバッファ領域５３に移動させるとともにこれに関連する画面データをバッファ領域５３の中から検索し、検索された画面データを表示画面データ領域５２に格納しておき、関連する画面データを表示装置２において表示させる。【選択図】図１
2019121170.tif 000002
【特許請求の範囲】
【請求項１】
プラントの状態を表示するための表示装置と、画面データの処理を行う画面処理部と、画面間の関連情報が保存された定義ファイルを有するプラント監視制御装置であって、
上記画面処理部は、上記表示装置との間でデータのやり取りを行うと共に画面データの生成を行う画面管理部と、上記表示装置に現在表示している画面データを格納する表示画面データ領域と、上記表示装置に現在表示している画面に関連する関連画面データが格納されているバッファ領域を有し、
上記画面管理部は画面展開操作が行われる場合、上記表示画面データ領域に格納されている画面データを上記バッファ領域に移動させるとともにこれに関連する画面データを上記バッファ領域の中から検索し、検索された画面データを上記表示画面データ領域に格納しておき、上記関連する画面データを上記表示装置において表示させることを特徴とするプラント監視制御装置。
【請求項２】
上記表示装置に画面展開機能を選ぶためのメニューを表示するメニュー表示部を設けるとともに、上記メニュー表示部を非表示にする機能を設けたことを特徴とする請求項１記載のプラント監視制御装置。
【請求項３】
上記表示装置に画面相互の位置関係が判るように表示する俯瞰位置表示部を設けたことを特徴とする請求項１または請求項２記載のプラント監視制御装置。
【請求項４】
上記表示装置を複数設けるとともに、一度の画面展開操作で複数の上記表示装置において画面展開ができることを特徴とする請求項１から請求項３のいずれか１項に記載のプラント監視制御装置。
【請求項５】
上記表示装置を複数設けるとともに、一度の画面展開操作で複数の上記表示装置における１つの表示装置においてのみ画面展開ができることを特徴とする請求項４記載のプラント監視制御装置。
【請求項６】
１つの上記表示装置において複数の画面に跨って表示することができることを特徴とする請求項１から請求項３のいずれか１項に記載のプラント監視制御装置。
【発明の詳細な説明】
【技術分野】
【０００１】
この発明は、水処理施設、下水処理施設などのプラント設備の状況や計測値を表示するプラント監視制御装置に関するものである。
【背景技術】
【０００２】
一般的にプラント監視制御装置では、プラントの状況図やトレンドグラフ、帳票等の画面情報は、其々独立したシートに保存されており、異なる画面への展開操作は、メニューバーからの画面選択、並びに部品に対するクリック操作によって行われている。
プラント監視制御装置は、プラント設備の状態を取得し、異常が発生すると、警報を画面上に出力することで、作業者に異常が発生したことを知らせる。警報が発生すると、作業者は異常が発生した箇所の画面へ画面展開を行い、異常に対する処置を行っている。
このとき、メニューバーから見たい画面を探すのに時間がかかり、あるいは間違った画面を表示してしまうなど、操作に不慣れな作業者にはシステムを扱いにくいという問題点があった。
そこで、モニタに表示する複数の画面のデータを保存する表示画面ファイル及び画面のデータ相互間の関係を定義する画面関連性定義ファイルを保存しておき、全体から詳細への画面拡大操作により、画面展開を行うものがあった（特許文献１参照）。
【先行技術文献】
【特許文献】
【０００３】
【特許文献１】特許４９４３４６８号公報
【発明の概要】
【発明が解決しようとする課題】
【０００４】
上記特許文献１においては、拡大縮小操作を行うことにより、システムの画面全体から見たい画面を探し出すことはできる。しかし、上記特許文献１では、関連する画面に画面展開を行う際、一度縮小して全体画面へ画面展開してから見たい部分を拡大して画面展開を行う必要がある。従って複数回の画面展開操作を行う必要がある。即ち、一度の画面展開操作で関連する画面へ展開することができない。
【０００５】
この発明は上記のような課題を解決するためになされたものであり、メニューから見たい画面を探す時間が削減できるとともに、操作に不慣れな作業者であっても扱いやすいプラント監視制御装置を提供することを目的とする。
【課題を解決するための手段】
【０００６】
この発明に係るプラント監視制御装置は、プラントの状態を表示するための表示装置と、画面データの処理を行う画面処理部と、画面間の関連情報が保存された定義ファイルを有し、
上記画面処理部は、上記表示装置との間でデータのやり取りを行うと共に画面データの生成を行う画面管理部と、上記表示装置に現在表示している画面データを格納する表示画面データ領域と、上記表示装置に現在表示している画面に関連する関連画面データが格納されているバッファ領域を有し、
上記画面管理部は画面展開操作が行われる場合、上記表示画面データ領域に格納されている画面データを上記バッファ領域に移動させるとともにこれに関連する画面データを上記バッファ領域の中から検索し、検索された画面データを上記表示画面データ領域に格納しておき、上記関連する画面データを上記表示装置において表示させるものである。
【発明の効果】
【０００７】
上記のように構成されたプラント監視制御装置によれば、メニューから画面を探し出す手間がなくなり、一回の操作のみで関連する画面への展開できるようになる。また、関連する画面を辿っていくことで、表示したい画面を表示するまでの操作数が削減される。以上より画面展開を従来よりも効率的に行うことができ、システムの操作に不慣れな作業者でも作業が行いやすくなる効果が得られる。
【図面の簡単な説明】
【０００８】
【図１】実施の形態１によるプラント監視制御装置を示すブロック構成図である。
【図２】実施の形態１によるプラント監視制御装置の画面関連図である。
【図３】実施の形態１によるプラント監視制御装置におけるシステム全体監視グラフィック画面の一例を示す図である。
【図４】実施の形態１によるプラント監視制御装置におけるプラント全体監視グラフィック画面の一例を示す図である。
【図５】実施の形態１によるプラント監視制御装置におけるネットワーク監視画面の一例を示す図である。
【図６】実施の形態１によるプラント監視制御装置における機器監視画面の一例を示す図である。
【図７】実施の形態１によるプラント監視制御装置におけるポンプ室監視グラフィック画面の一例を示す図である。
【図８】実施の形態１によるプラント監視制御装置におけるポンプ室トレンドグラフ画面の一例を示す図である。
【図９】実施の形態１によるプラント監視制御装置における沈澱池濾過池監視グラフィック画面の一例を示す図である。
【図１０】実施の形態１によるプラント監視制御装置における沈澱池水位計トレンドグラフ画面の一例を示す図である。
【図１１】実施の形態１によるプラント監視制御装置における濾過池水位計トレンドグラフ画面の一例を示す図である。
【図１２】実施の形態１によるプラント監視制御装置における定義ファイルの一例を示す構成図である。
【図１３】実施の形態１によるプラント監視制御装置の起動時の動作を示すフローチャートである。
【図１４】実施の形態１によるプラント監視制御装置の画面展開操作時の動作を示すフローチャートである。
【図１５】実施の形態２によるプラント監視制御装置における画面表示部を示す図である。
【図１６】実施の形態３によるプラント監視制御装置の動作を示すフローチャートである。
【図１７】実施の形態３によるプラント監視制御装置における画面展開の概略を示す全体図である。
【図１８】実施の形態３によるプラント監視制御装置における画面展開の概略を示す全体図である。
【図１９】実施の形態３によるプラント監視制御装置における画面展開の概略を示す全体図である。
【図２０】実施の形態４によるプラント監視制御装置の動作を示すフローチャートである。
【図２１】実施の形態４によるプラント監視制御装置における画面展開の概略を示す全体図である。
【図２２】実施の形態４によるプラント監視制御装置における画面展開の概略を示す全体図である。
【図２３】実施の形態４によるプラント監視制御装置における画面展開の概略を示す全体図である。
【図２４】実施の形態５によるプラント監視制御装置における表示装置を示す図である。
【図２５】実施の形態５によるプラント監視制御装置における表示装置を示す図である。
【図２６】実施の形態６によるプラント監視制御装置の動作を示すフローチャートである。
【図２７】実施の形態６によるプラント監視制御装置における画面展開の概略を示す全体図である。
【図２８】実施の形態６によるプラント監視制御装置における画面展開の概略を示す全体図である。
【図２９】実施の形態６によるプラント監視制御装置における画面展開の概略を示す全体図である。
【図３０】実施の形態６によるプラント監視制御装置において、システム全体監視グラフィック画面とプラント全体監視グラフィック画面が半画面ずつ表示された状態を示す図である。
【図３１】実施の形態６によるプラント監視制御装置において、プラント全体監視グラフィック画面とポンプ室監視グラフィック画面が半画面ずつ表示された状態を示す図である。
【発明を実施するための形態】
【０００９】
実施の形態１．
本実施形態は、上水処理施設、下水処理施設などのプラント監視制御システムにおいて、プラントの状況図、トレンドグラフ、帳票等を表示し、プラント設備の動作を監視制御するためのプラント監視制御装置に関するものであり、関連画面への展開が容易なプラント監視制御装置に関するものである。
以下、この発明の実施の形態１を図に基づいて説明する。
図１は、プラント監視制御装置を示すブロック構成図であり、水処理を行うものである。図１において、プラント監視制御装置１は、プラントの状態を表示するための表示装置２と、プラント監視制御装置１を操作するための入力装置３と、データ及び画面の処理を行うための処理装置４を有しており、プラント監視制御装置１はプラント等から構成される外部装置１０とネットワーク９を介して接続されている。
【００１０】
プラント監視制御装置１における表示装置２は、画面表示部２１を有しており、画面表示部２１には、プラントの警報状態を表示するアラーム表示部２２、画面展開などの機能を選ぶためのメニューを表示するメニュー表示部２３、プラントの状態や数値を表示するウィンドウ表示部２４を有している。
プラント監視制御装置１における入力装置３は、マウス３１、キーボード３２、タッチパネル３３を有している。
プラント監視制御装置１における処理装置４は、画面データの処理を行う画面処理部５、外部装置１０との間でデータの入出力を行うデータ入出力部６、画面データの関連情報を記述した定義ファイル７、入力装置３からのイベントを受け取るイベント処理部８を有している。
【００１１】
画面処理部５は、表示装置２との間でデータのやり取りを行うと共に、画面データの生成を行う画面管理部５１、現在表示している画面データを格納する表示画面データ領域５２、関連画面の画面データを格納するバッファ領域５３を有している。表示画面データ領域５２には、現在画面に表示しているアラーム部、メニュー部、ウィンドウ部に関する画面データ５４、５５、５６が格納されている。バッファ領域５３には、ウィンドウ表示部２４に現在表示されている画面に関連する関連画面データ５７が格納されている。
上記画面データ５４〜５７は、データ入出力部６を介して外部装置１０の値を取得することで、画面管理部５１によって生成される。
画面間の関連情報は定義ファイル７に保存されており、画面展開が行われる毎に定義ファイル７における関連情報を参照して、バッファ領域５３に格納する関連画面データ５７を画面管理部５１が作成する。
各入力装置３からのイベント入力情報はイベント処理部８が処理し、要求された操作に対応する処理を画面管理部５１が行い、表示装置２に処理結果を出力する。
【００１２】
次に画面展開の動作について、図２の画面関連図を用いて説明する。図２は水処理を行うプラント監視制御装置１による画面関連図の一例が示されている。本システムにおける画面としては、システムの全体構成を表示するシステム全体監視グラフィック画面１００と、プラント全体の配置を表示するプラント全体監視グラフィック画面１１０と、システムのネットワーク構成を表示したネットワーク監視画面１１１と、プラントに配置されている各機器の動作状態で表示した機器監視画面１１２と、ポンプ室の配置を表示するポンプ室監視グラフィック画面１２０と、ポンプ室で計測される値をトレンドグラフに表示するポンプ室トレンドグラフ画面１２１と、沈澱池濾過池の配置を表示した沈澱池濾過池監視グラフィック画面１３０と、沈澱池の水位計の値をトレンドグラフで表示した沈澱池水位計トレンドグラフ画面１３１と、濾過池の水位計の値をトレンドグラフで表示した濾過池水位計トレンドグラフ画面１３２の全部で９画面からなり、プラント監視制御装置１においてはこれらの９画面が関連付けられている。
【００１３】
図３はシステム全体監視グラフィック画面１００の一例を示す図であり、図３においては、子局に異常が発生した場合を示している。尚子局とはポンプ室等から情報を集める部分である。図４はプラント全体監視グラフィック画面１１０の一例を示す図であり、図５はネットワーク監視画面１１１の一例を示す図であり、図６は機器監視画面１１２の一例を示す図であり、図６においては、プラントと子局との間の一部の回線に故障が発生している場合を示している。図７はポンプ室監視グラフィック画面１２０の一例を示す図であり、図８はポンプ室トレンドグラフ画面１２１の一例を示す図であり、図９は沈澱池濾過池監視グラフィック画面１３０の一例を示す図であり、図１０は沈澱池水位計トレンドグラフ画面１３１の一例を示す図であり、図１１は濾過池水位計トレンドグラフ画面１３２の一例を示す図である。
【００１４】
次に表示装置２が起動され、システム全体監視グラフィック画面１００を表示している状態で、ポンプ室に異常が発生し、ポンプ室監視グラフィック画面１２０を表示するときの動作について説明する。表示装置２がシステム全体監視グラフィック画面１００を表示している状態で、入力装置３により右方向への画面展開操作（右矢印キー操作等）を行うと、プラント全体監視グラフィック画面１１０に画面展開する。ここで入力装置３による操作とは、マウス３１におけるスクロール操作、キーボード３２における矢印キー操作、更にはタッチパネル３３におけるスワイプ操作が該当する。次にプラント全体監視グラフィック画面１１０を表示している状態では、上下左右に関連画面が存在するので、４方向に画面展開が可能である。その中から、右方向の画面展開操作（右矢印キー操作等）を行うと、ポンプ室監視グラフィック画面１２０に画面展開できる。
また、沈澱池濾過池監視グラフィック画面１３０を表示している際に、右方向への画面展開操作を行うと、システム全体監視グラフィック画面１００に画面展開できる循環リストのような画面間の関連付けも定義ファイル７において可能である。同様に、上下方向の循環的な関連付けも定義ファイル７において可能である。
【００１５】
図１２は定義ファイル７の一例を示す構成図である。図１２において、１列目にはシート番号ＮＯが記載されている。２列目には関連するシート番号をカンマで区切り、関連性を上、下、右、左の順に記載されている。但し移動先のない場合はｘ表示されている。３列目にはそれぞれのシート名が記載されている。例えばシート番号１はシステム全体監視グラフィック画面１００が該当しており、シート番号２はプラント全体監視グラフィック画面１１０が該当しており、シート番号３はネットワーク監視画面１１１が該当しており、シート番号４は機器監視画面１１２が該当しており、シート番号５はポンプ室監視グラフィック画面１２０が該当しており、シート番号６はポンプ室トレンドグラフ画面１２１が該当しており、シート番号７は沈澱池濾過池監視グラフィック画面１３０が該当しており、シート番号８は濾過池水位計トレンドグラフ画面１３２が該当しており、シート番号９は沈澱池水位計トレンドグラフ画面１３１が該当している。
【００１６】
次にプラント監視制御装置１の起動時と画面展開操作時の装置内の動作について説明する。図１３はプラント監視制御装置１の起動時の動作を示すフローチャートであり、図１４は画面展開操作時の動作を示すフローチャートである。図１３においては、プラント監視制御装置１が起動してからシステム全体監視グラフィック画面１００を表示し、表示したシステム全体監視グラフィック画面１００の関連画面であるプラント全体監視グラフィック画面１１０をバッファ領域５３に格納するまでの動作を示している。図１３において、まずプラント監視制御装置１が起動されると、画面管理部５１がデータ入出力部６を介してシステム全体監視グラフィック画面１００のデータ作成に必要なデータを収集し（ステップＳ１）、画面管理部５１がシステム全体監視グラフィック画面１００を作成する（ステップＳ２）。作成されたシステム全体監視グラフィック画面１００のデータは表示画面データ領域５２に格納しておき（ステップＳ３）、作成されたデータ（システム全体監視グラフィック画面１００）を表示装置２に送り、画面表示部２１に表示する（ステップＳ４）。表示が完了すると、図１２に示された定義ファイル７を参照して、画面管理部５１は作成した画面（システム全体監視グラフィック画面１００）に関連するプラント全体監視グラフィック画面１１０のデータ、沈澱池濾過池監視グラフィック画面１３０のデータを作成し（ステップＳ５）、表示した画面に対する関連画面データである作成されたデータをバッファ領域５３に保存しておき（ステップＳ６）、画面展開操作があった場合にすぐに画面展開ができるようにする。
【００１７】
ここで画面データとは、対象画面を表示するために必要なデータをいう。例えば沈澱池濾過池監視グラフィック画面１３０の場合、画面に出力される沈澱池乃至濾過地の水位、濃度などのデータ、更にはグラフィック表示のためのシンボルデータなどが該当する。
図１４においては、システム全体監視グラフィック画面１００を表示している状態で右方向への画面展開を行った場合の動作を示している。まず、右方向への画面展開操作が行われると、画面管理部５１が表示画面データ領域５２に格納されているシステム全体監視グラフィック画面１００のデータをバッファ領域５３に移動させる（ステップＳ１１）。次に右方向に関連付けられているプラント全体監視グラフィック画面１１０のデータをバッファ領域５３の中から検索する（ステップＳ１２）。検索によって見つけられたプラント全体監視グラフィック画面１１０のデータを表示画面データ領域５２に格納しておき（ステップＳ１３）、作成されたプラント全体監視グラフィック画面１１０のデータを表示装置２に送り、画面表示部２１に表示する（ステップＳ１４）。表示が完了すると、定義ファイル７を参照して、作成したプラント全体監視グラフィック画面１１０に関連するポンプ室監視グラフィック画面１２０のデータ、ネットワーク監視画面１１１のデータ、機器監視画面１１２のデータを作成する（ステップＳ１５）。最後に、表示した画面（プラント全体監視グラフィック画面１１０）に関連する関連画面のデータをバッファ領域５３に格納し（ステップＳ１６）、画面展開操作があった場合に、すぐに画面展開可能にしておく。そして以前に作成されたプラント全体監視グラフィック画面１１０の関連画面でない沈澱池濾過池監視グラフィック画面１３０のデータはバッファ領域５３から削除する。
【００１８】
以上のように、実施の形態１によれば、少ない操作数で目的の画面への展開が可能となる効果がある。また、図２に示すように、上方向への画面展開によりトレンドグラフを表示するというようなルールを作ることもできる。これにより画面同士の関連が分かりやすくなり、プラント監視制御装置１を扱い易くなる効果もある。
【００１９】
実施の形態２．
上記実施の形態１で示したプラント監視制御装置では、スクロールや矢印キーを用いて容易に画面展開が可能であるため、必ずしもメニュー表示部２３を表示する必要がない。本実施形態では、メニュー表示部２３を非表示にする機能を有するプラント監視制御装置に関するものである。
実施の形態１では、現在表示されている画面に関連する画面データを事前に作成しておき、バッファ領域５３に格納し、容易に画面展開ができる方法について述べたが、本実施形態においては、画面表示部２１内からメニュー表示部２３を非表示にする機能を設けたものである。
【００２０】
図１５は実施の形態２における画面表示部を示す図であり、図１５（Ａ）の画面はメニュー表示モードの画面であり、図１５（Ｂ）の画面はメニュー非表示モードの画面である。図１５において、メニュー表示部２３の一部に最小化ボタン２５が設けられている。メニュー表示モード（図１５（Ａ））からメニュー非表示モード（図１５（Ｂ））への切り替えは、メニュー表示部２３中にある最小化ボタン２５を押下することで行い、メニュー非表示モードからメニュー表示モードへの切り替えは、最小化されたメニュー表示部２３を押下することで行う。
以上のように実施の形態２によれば、メニュー表示部２３を非表示にすることで、ウィンドウ表示部２４を大きく表示することができ、画面がより見やすくなる効果がある。
【００２１】
実施の形態３．
実施の形態１では、１つの表示装置２がある場合について述べたが、本実施形態においては、複数の表示装置を備えたプラント監視制御装置に関するものである。そして本実施形態においては、一度の画面展開操作で複数の表示装置２において画面展開ができるものである。
図１６は２つの表示装置において、システム全体監視グラフィック画面１００とプラント全体監視グラフィック画面１１０が表示されている状態から、ポンプ室監視グラフィック画面１２０と沈澱池濾過池監視グラフィック画面１３０を表示するまでの動作を示すフローチャートであり、図１７〜図１９は画面展開の概略を示す全体図である。
【００２２】
図１７〜図１９に示す例では、２つの表示装置２を備えたプラント監視制御装置１において、システム全体監視グラフィック画面１００とプラント全体監視グラフィック画面１１０が表示されている際に、ポンプ室と沈澱池濾過地で異常が発生し、ポンプ室監視グラフィック画面１２０と沈澱池濾過池監視グラフィック画面１３０を表示する時の画面展開操作の手順が示されている。尚斜線で示されている画面が実際に表示装置２に表示されている画面である。図１６において、システム全体監視グラフィック画面１００とプラント全体監視グラフィック画面１１０が表示されている状態（ステップＳ２１）で、右側への画面展開操作を行う（ステップＳ２２）。これにより図１７の状態から図１８の状態に移り、プラント全体監視グラフィック画面１１０とポンプ室監視グラフィック画面１２０が表示されている状態になる（ステップＳ２３）。さらに、右側への画面展開操作を行うと（ステップＳ２４）、図１８の状態から図１９の状態に移り、ポンプ室監視グラフィック画面１２０と沈澱池濾過池監視グラフィック画面１３０を表示することができる（ステップＳ２５）。このように、２回の画面展開操作で、目的の画面を表示することができる。
【００２３】
以上のように実施の形態３によれば、複数の画面を用いることで、関連する画面を並べて表示することが可能となり、複数の画面の比較や参照が行いやすくなるという効果がある。また少ない操作回数で複数の画面展開が可能となり、効率的に作業を行うことができるという効果がある。
【００２４】
実施の形態４．
上記実施の形態１では、表示装置２が一つの場合について述べたが、本実施形態においては、複数の表示装置を備えたプラント監視制御装置において、定義ファイル７における関連情報が隣り合っていない場合でも、一度の画面展開操作で複数の表示装置間において画面展開を行うことができるプラント監視制御装置について説明する。図２０は２つの表示装置において、ポンプ室監視グラフィック画面１２０と沈澱池濾過池監視グラフィック画面１３０が表示されている状態から、沈澱池濾過池監視グラフィック画面１３０と沈澱池水位計トレンドグラフ画面１３１を表示するまでの動作を示すフローチャートであり、図２１〜図２３は画面展開の概略を示す全体図である。
【００２５】
図２１〜図２３に示す例では、２つの表示装置２を備えたプラント監視制御装置１において、ポンプ室監視グラフィック画面１２０と沈澱池濾過池監視グラフィック画面１３０が表示されている際に、沈澱池の水位に異常が発生し、沈澱池濾過池監視グラフィック画面１３０と沈澱池水位計トレンドグラフ画面１３１を表示する時の画面展開操作の手順が示されている。尚斜線で示されている画面が実際に表示装置２に表示されている画面である。まず、ポンプ室監視グラフィック画面１２０と沈澱池濾過池監視グラフィック画面１３０が表示されている状態（ステップＳ３１）で、沈澱池濾過池監視グラフィック画面１３０において上方向への画面展開操作を行うと（ステップＳ３２）、図２１の状態から図２２の状態に移り、ポンプ室監視グラフィック画面１２０と沈澱池水位計トレンドグラフ画面１３１が表示されている状態になる（ステップＳ３３）。即ちこの状態では定義ファイル７において関連づけられていない２つの画面が表示装置２において表示されていることになる。さらに、ポンプ室監視グラフィック画面１２０において右側への画面展開操作を行うと（ステップＳ３４）、図２２の状態から図２３の状態に移り、沈澱池濾過池監視グラフィック画面１４０と沈澱池水位計トレンドグラフ画面１３１を表示することができる（ステップＳ３５）。このように、２回の画面展開操作で、目的の画面を表示することができる。本実施形態においては、実施の形態３とは異なり、２つの表示装置において１つの画面表示は変わらないこととなり、１つの画面表示のみが変わることになる。
【００２６】
以上のように、実施の形態４によれば、複数の画面を用いることで、関連する画面を並べて表示することが可能となり、定義ファイル７で関連情報が隣り合っていない場合でも、複数の画面の比較や参照が行いやすくなるという効果がある。
【００２７】
実施の形態５．
上記実施の形態１では、現在表示されている画面に関連する画面データを事前に作成しておき、バッファ領域５３に格納することにより、容易に画面展開できる方法について説明した。本実施形態においては、画面データがどのような関係性を有しているかを知るための俯瞰表示機能を表示装置２に備えたプラント監視制御装置について説明する。図２４、図２５は実施の形態５による表示装置を示す図であり、図２４は俯瞰位置表示部が縮小されている状態を示すと共に、図２５は俯瞰位置表示部が拡大されている状態を示している。図２４に示す画面のように、ウィンドウ表示部２４内の右下に俯瞰位置表示部２６を作成し、現在の画面がどの画面と関連を持っているかを表示する。即ち俯瞰位置表示部２６は画面相互の位置関係が判るように表示しているものである。また、俯瞰位置表示部２６はドラッグ操作により拡大縮小可能とし、図２５に示すように、ウィンドウ表示部２４全体を覆うように表示することもできる。図２４、図２５においては、プラント全体監視グラフィック画面１１０が表示されている状態を示しており、表示されている画面を太線で囲っている。
【００２８】
以上のように実施の形態５によれば、画面を俯瞰的に表示することができる。即ち画面の配置関係を俯瞰的に表示する俯瞰位置表示部２６を設けることにより、現在の画面表示位置と関連画面の関連が把握でき、より容易に画面展開を実現することができる。従って関連する画面を探す際に実際に画面展開を行わずに探すことができるため、目的の画面にたどり着く時間を削減できる効果がある。また、プラント監視制御装置１の操作に不慣れな作業者にとっては、画面間の関連を見ながら操作することが可能となるため、表示したい画面と現在の表示画面の位置関係を容易に把握することが可能となり、装置を扱いやすくなる効果がある。
【００２９】
実施の形態６．
上記実施の形態１では、現在表示されている画面に関連する画面データを事前に作成しておき、バッファ領域５３に格納し、容易に画面展開することができる方法について述べたが、本実施形態においては、複数のシート（画面）を一枚のシート（画面）であるように操作することができるプラント監視制御装置に関するものである。
図２６は本実施形態による動作を示すフローチャートであり、図２７〜図２９は画面展開の状態を示すイメージ図である。尚斜線で示されている画面が実際に表示装置２に表示されている画面である。まずプラント監視制御装置１は、装置が起動されると、画面間の関連を定義した定義ファイル７を読み込む（ステップＳ４１）。次に実施の形態１と同様にして、表示画面を作成し、図２７に示すようにシステム全体監視グラフィック画面１００を作成すると共に、画面表示部２１に出力し（ステップＳ４２）、システム全体監視グラフィック画面１００に関連するプラント全体監視グラフィック画面１１０の画面データを作成し、バッファ領域５３に格納する（ステップＳ４３）。
【００３０】
次に、右方向に半画面分の画面展開操作を行うと（ステップＳ４４）、画面の展開操作が行なわれ、図２８に示すようにシステム全体監視グラフィック画面１００とプラント全体監視グラフィック画面１１０を画面表示部２１に半画面分出力する（ステップＳ４５）。図３０はシステム全体監視グラフィック画面１００とプラント全体監視グラフィック画面１１０が半画面ずつ表示された状態を示す図である。次にプラント全体監視グラフィック画面１１０に関連するネットワーク監視画面１１１、機器監視画面１１２、ポンプ室監視グラフィック画面１２０の画面データを作成し、バッファ領域５３に格納する（ステップＳ４６）。
【００３１】
更に右方向に１画面分の画面展開操作を行うと（ステップＳ４７）、画面の展開操作が行われ、図２９に示すように、プラント全体監視グラフィック画面１１０とポンプ室監視グラフィック画面１２０を半画面分だけ画面表示部２１に出力する（ステップＳ４８）。図３１はプラント全体監視グラフィック画面１１０とポンプ室監視グラフィック画面１２０が半画面ずつ表示された状態を示す図である。そしてポンプ室監視グラフィック画面１２０に関連するポンプ室トレンドグラフ画面１２１及び沈澱池濾過池監視グラフィック画面１３０の画面データを作成し、バッファ領域５３に格納する（ステップＳ４９）。また、非表示となったシステム全体監視グラフィック画面１００の画面データは、プラント全体監視グラフィック画面１１０の関連画面であるため、バッファ領域５３に格納する。
【００３２】
以上のように実施の形態６によれば、シート（画面）の境界や画面の展開を意識せずに画面を作成することができる。従って複数のシート（画面）を一枚のシート（画面）であるように操作することができ、複数のシート（画面）に跨って表示することが可能となる。このため画面間の関連を把握しながらプラント監視制御装置１を操作できるようになり、操作に不慣れな作業者にとっても操作がしやすくなる効果がある。
なお、本発明は、その発明の範囲内において、各実施の形態を自由に組み合わせたり、各実施の形態を適宜、変形、省略することが可能である。
【符号の説明】
【００３３】
１  プラント監視制御装置、２  表示装置、５  画面処理部、７  定義ファイル、
２３  メニュー表示部、２６  俯瞰位置表示部、５１  画面管理部、
５２  表示画面データ領域、５３  バッファ領域。
【図１】
2019121170.tif 000003
【図２】
2019121170.tif 000004
【図３】
2019121170.tif 000005
【図４】
2019121170.tif 000006
【図５】
2019121170.tif 000007
【図６】
2019121170.tif 000008
【図７】
2019121170.tif 000009
【図８】
2019121170.tif 000010
【図９】
2019121170.tif 000011
【図１０】
2019121170.tif 000012
【図１１】
2019121170.tif 000013
【図１２】
2019121170.tif 000014
【図１３】
2019121170.tif 000015
【図１４】
2019121170.tif 000016
【図１５】
2019121170.tif 000017
【図１６】
2019121170.tif 000018
【図１７】
2019121170.tif 000019
【図１８】
2019121170.tif 000020
【図１９】
2019121170.tif 000021
【図２０】
2019121170.tif 000022
【図２１】
2019121170.tif 000023
【図２２】
2019121170.tif 000024
【図２３】
2019121170.tif 000025
【図２４】
2019121170.tif 000026
【図２５】
2019121170.tif 000027
【図２６】
2019121170.tif 000028
【図２７】
2019121170.tif 000029
【図２８】
2019121170.tif 000030
【図２９】
2019121170.tif 000031
【図３０】
2019121170.tif 000032
【図３１】
2019121170.tif 000033